(57)【特許請求の範囲】
【請求項１】
透光性基板（２１）側から記録光を照射することにより、信号を読み取りまたは記録が可能な光ディスクにおいて、透光性基板（２１）の記録光及び再生光の入射面にカバーシート（２６）が剥離可能に設けられ、このカバーシート（２６）の外周縁の一部（２８）が透光性基板（２１）の外周縁と面一になっており、カバーシート（２６）の前記外周縁の一部（２８）を除く外周縁の他の部分が透光性基板（２１）の外周縁の内側にあることを特徴とする光ディスク。
【請求項２】
カバーシート（２６）の外周縁からタブ（２７）が突設され、このタブ（２７）の外縁がカバーシート（２６）の外周縁の一部（２８）として透光性基板（２１）の周面と面一になっていることを特徴とする請求項１に記載の光ディスク。
【請求項３】
カバーシート（２６）が透光性基板（２１）の径より小さな円形状のシートからなり、このカバーシート（２６）が透光性基板（２１）に対して偏心して貼り付けられることにより、同カバーシート（２６）の外周縁の一部（２８）が透光性基板（２１）の周面と面一になっていることを特徴とする請求項２に記載の光ディスク。
【請求項４】
カバーシート（２６）の外周縁の他の部分が、最大で１．５ｍｍに満たない寸法だけ透光性基板（２１）の外周縁より内側にあることを特徴とする請求項１〜３の何れかに記載の光ディスク。
【発明の詳細な説明】
【０００１】
【発明の属する技術分野】
本発明は、透光性基板側から記録光を照射することにより、信号が記録可能な光ディスクに関し、特に光入射面である透光性基板側の表面にカバーシートが貼り付けられた光ディスクに関する。
【０００２】
【従来の技術】
従来から音楽用メディアとして多く使用されているコンパクトディスク（ＣＤ）や、コンピュータ用のメディアとして多く使用されているＣＤ―ＲＯＭ等の市販の光デイスクは、読取専用である。このような読取専用の光ディスクは、通常、ポリカーボネート等からなる透光性基板を成形する際に、電鋳やプレス等の工程を経て得られる型を使用し、前記透光性基板の表面上に凹凸状のピットを形成して信号を記録するようになっておいる。このような光ディスクでは、ユ―ザが自分で情報を記録することはできない。
【０００３】
これに対して、１９８０年台末から１９９０年初期にかけて、前記ＣＤと互換性を有する記録可能な、いわゆるライトワンス型ＣＤ（ＣＤ−Ｒ）が開発されるに至っている。このＣＤ−Ｒでは、通常は信号を記録しない状態で出荷され、ユーザが所望する任意の情報を一度だけ記録することができる。これにより、ユーサは比較的低コストでＣＤやＣＤ−ＲＯＭと互換性を有し、且つ任意の情報を記録したＣＤやＣＤ−ＲＯＭを複製することが可能である。
【０００４】
ＣＤ−Ｒは、一般に、ポリカ―ボネート等の透明合成樹脂からなる板状の透光性基板の上に、シアニン色素等の色素記録層が形成され、その上にＡｕ膜等の金属反射層が被着され、さらにその上に紫外線硬化性樹脂からなる保護層が形成されたものである。前記透孔性基板の色素記録層が形成される面側には、例えば、１．６μｍのピッチ有するスパイラル状のトラッキングガイドが設けられている。
【０００５】
このＣＤ−Ｒに信号を記録するときは、光ピックアップから透光性基板を通して色素記録層に照射される記録光のスポットを、トラッキングガイドに沿ってトラッキングしながら、パルス変調された記録光のスポットを色素記録層に照射し、パルス信号をピットとして書き込む。このとき、パルス信号に対応して色素記録層がする加熱、溶融され、―部分解した色素記録層の色素材料と加熱溶解された透光性基板の樹脂材料とが相互に作用することにより、透孔性基板上に、ピットが形成される。これにより、ＣＤやＣＤ−ＲＯＭと同様の信号を読み取ることができる所望の情報が書き込まれる。
【０００６】
このＣＤ―Ｒは、読取専用のＣＤやＣＤ−ＲＯＭの製造工程で使用される大規模な製造設備や複雑な製造工程を経ることなく、デスクトップ環境で容易にＣＤやＣＤ−ＲＯＭと完全互換性のある情報を記録した光ディスクが得られる。
光ディスクの透光性基板は、ポリカーボネート等の樹脂製であるため、静電気を生じてその表面の光入射面にゴミが付着し易く、また、硬いもので摩擦を受けたり衝撃を受けると傷がつき易い。既に述べたように、透光性基板の光入射面についたゴミや傷は、レーザー光の入射を妨げ、特に書込み特性を大きく劣化させる。
【０００７】
前記の問題を解決するため、従来の光ディスクでは、記録光及び再生光の入射面である透光性基板の表面に剥離可能なカバーシートを貼り付け、透光性基板の表面を保護することが行われている。例えば、透明なカバーシートを貼り付けたものでは、カバーシートを透光性基板の表面に貼り付けたまま記録及び再生が可能である。他方、色素記録層の感光波長帯域の光を遮断する効果のある着色シートや不透明なカバーシートを貼り付けた場合は、自然光等による色素記録層の劣化を防止する効果等もある。さらに、カバーシートに帯電防止剤を含ませたものでは、静電気による埃の付着を防止することもできる。このように、ＣＤ−Ｒ等の記録可能な光ディスクの透光性基板の表面にカバーシートを貼り付けることにより、様々な利点がある
【０００８】
図４と図５に光ディスクの透光性基板１の光入射面にカバーシート６を貼り付けた状態を示す。従来のカバーシート６は、透光性基板１と同じ平面形状を有しており、このカバーシート６が粘着剤により透光性基板１の光入射面に貼り付けられている。このカバーシート６は、透光性基板１の全面にわたって貼られており、従って、カバーシート６と透光性基板１の外周縁及びクランプ孔５側の内周縁は、何れも面一になっている。カバーシート６は、それを透光性基板１から剥がすために、その外周縁から突出したタブ７を有し、このタブ７が透光性基板１の外周から突出している。
図５に示すように透光性基板１に貼られたカバーシート６を透光性基板１から剥離するときは、タブ７を指で摘み、図４で示すように透光性基板１から起こして剥離する。
【０００９】
【発明が解決しようとしている課題】
しかしながら、前記のようなカバーシート６を貼った光ディスクでは、その取り扱い中にカバーシート６が透光性基板１から不意に剥離することも多い。カバーシート６は、剥離した後に透光性基板１の光入射面に接着剤が残らないように、或る程度接着力が弱い接着剤で透光性基板１の光入射面に貼り付けられており、一旦剥離すると再び正しく接着し直すことが難しい。
【００１０】
さらに、前記従来のカバーシート６では、前述のように、透光性基板１に貼り付けた状態で同基板１の外周縁からタブ７が突出しているので、例えば、図６に示すような一般的な光ディスク用のケースに収納するとき、光ディスク保持部１３と蓋体１２との間に前記タブ７を挟んでしまうことがある。図６において、１１はケース本体、１３はこのケース本体１１に嵌め込まれる光ディスク保持部、１４は光ディスクを収納するため光ディスク保持部１３に形成された凹部、１６はその凹部１４に収納する光ディスクのクランプ孔５を嵌め込むための突起の集合体、１２は蓋体、１８はこの蓋体１２に差し込んで使用される化粧シートである。
【００１１】
また、一部の光ディスクは、その光入射面と反対側の樹脂コート面の上に、インクジェットプリンタを使用して印刷を行うことができるものがある。この印刷に際しては、光ディスクを搬送トレイに装着して送るが、その際に前記のようなカバーシート６のタブ７が透光性基板１の外周縁から突出していると、光ディスクを搬送トレイに装着することができない。
【００１２】
本発明は、前記のようなカバーシートを貼った従来の光ディスクにおける課題に鑑み、光ディスクの外周縁からカバーシートの一部が突出することなく、カバーシートが光ディスクから不意に剥がれてしまわず、しかも意図的にカバーシートを光ディスクから剥がすときは、容易にカバーシートを光ディスクから剥がすことができるカバーシートを貼った光ディスクを提供することを目的とするものである。
【００１３】
【課題を解決するための手段】
前記の目的を達成するため、本発明では、カバーシート２６の外周縁の全ての部分が光ディスクの外周縁から突出しないように、同カバーシート２６を透光性基板２１に貼り付けると共に、不意なカバーシート２６の剥がれを防止するため、カバーシート２６の外周縁の一部２８を除いて同シート２６の外周縁の他の部分が透光性基板２１の外周縁より内側にあるようにした。そして、カバーシート２６を意図的に剥離するときに、カバーシート２６の外周縁の一部２８を透光性基板１の光入射面から起こしやすくするために、カバーシート２６の外周縁の一部２８のみを透光性基板１の外周縁と面一にした。
【００１４】
すなわち、本発明による光ディスクは、透光性基板２１側から記録光を照射することにより、信号を読み取りまたは記録が可能なものであって、透光性基板２１の記録光及び再生光の入射面にカバーシート２６が剥離可能に設けられ、このカバーシート２６の外周縁の一部２８が透光性基板２１の外周縁と面一になっており、カバーシート２６の前記外周縁の一部２８を除く外周縁の他の部分が透光性基板２１の外周縁の内側にあることを特徴とするものである。
【００１５】
より具体的には、例えばカバーシート２６の外周縁からタブ２７が突設され、このタブ２７の外縁がカバーシート２６の外周縁の一部２８として透光性基板２１の周面と面一になっている。或いは、カバーシート２６が透光性基板２１の径より小さな円形状のシートからなり、このカバーシート２６が透光性基板２１に対して偏心して貼り付けられることにより、同カバーシート２６の外周縁の一部２８が透光性基板２１の周面と面一になっている。
【００１６】
このようなカバーシート２６を透光性基板２１の光入射面に貼り付けた光ディスクでは、透光性基板２１の外周縁からタブが突出していないだけでなく、カバーシート２６の外周縁の一部２８を除いて同シート２６の外周縁が透光性基板２１の外周縁より内側に入っているので、誤ってタブを引っかけて不意にカバーシート２６が剥がれてしまうようなことがない。また、一般の光ディスク用のケースに収納したり、インクジェットプリンタで光ディスクの保護コートの表面に印刷する時に搬送トレイに装着することもできる。
【００１７】
他方、光ディスクへの記録等のため、カバーシート２６を透光性基板２１の光入射面から意図的に剥がすときは、カバーシート２６の外周縁の一部２８が透光性基板２１の外周縁と面一になっているため、例えば、透光性基板２１とカバーシート２６のこの部分に指を当て、この指で透光性基板２１からカバーシート２６側へ擦ることにより、簡単にカバーシート２６の外周縁の一部２８を起こすことができる。これによって、カバーシート２６を透光性基板２１の光入射面から容易に剥がすことができる。
【００１８】
ＣＤ−Ｒ等の最も一般的な記録可能な光ディスクの場合、外周側から１．５ｍｍの部分は記録領域外である。そこで、カバーシート２６の外周縁は、最大でも前記の記録領域外である１．５ｍｍに満たない寸法だけ透光性基板２１の外周縁より内側に位置させるとよい。これにより、カバーシート２６で透光性基板２１の光入射面の全記録領域を覆うことにができることになる。
【００１９】
【発明の実施の形態】
次に、図面を参照しながら、本発明の実施の形態について、具体的且つ詳細に説明する。
図１に示す光ディスクの透光性基板２１は、射出成形法により形成された円板状のポリカーボネート基板等の透明合成樹脂板が用いられる。この透光性基板２１は、例えば、厚さ１．２ｍｍ、外径１２０ｍｍφ、内径１５ｍｍφ程度のドーナツ状の円板である。透光性基板２１の中心にある直径１５ｍｍφの孔は、光ディスクの記録、再生装置において、光ディスクを回転させるためのスピンドルと位置合わせするためのクランピング孔２５である。このクランピング孔２５の外側の２６ｍｍφ〜３３ｍｍφの領域が、光ディスクを回転させるスピンドルがクランプするためのクランピングエリアである。
【００２０】
この透光性基板２１の一方の面には、トラッキングガイドを有する。例えば、透光性基板２１の一方の面の直径４６〜１１７ｍｍφの範囲が信号記録領域であり、この部分に、例えば幅０．８μｍ、深さ０．０８μｍ、ピッチ１．６μｍのスパイラル状プリグルーブを有する。
例えば、シアニン色素等を有機溶剤に溶解し、これをスピンコート法等の手段で、前記透光性基板２１の前記プリグルーブを有する側の直径４５〜１１８ｍｍφの領域に１３０ｎｍ程度の厚さに塗布し、これを硬化させて、色素記録層膜を形成する。例えば、０．６５ｇの１，１，ジブチル３，３，３’３’テトラメチル４，５，４’５’ジベンゾインドジカーボシアニンパークロレート（日本感光色素社製、品番ＮＫ３２１９）を、ジアセントアルコール溶剤１０ｍｌに溶解し、これを前記透光性基板２１の表面にスピンコート法により塗布し、膜厚１３０ｎｍの色素記録膜を形成する。
【００２１】
次に、このディスクの直径４５〜１１８ｍｍφの領域の全面に真空蒸着法により、例えば、膜厚７０ｎｍのＡｕ膜を成膜し、反射膜を形成する。この反射膜の上に、例えば、紫外線硬化樹脂をスピンコートし、これに紫外線を照射して硬化させ、膜厚１０μｍ程度の保護コートを形成する。
さらに、片面に接着剤が塗布された薄いポリプロピレン等からなるカバーシート２６を用意し、この接着面を光ディスクの前記透光性基板２１の光入射面に貼り付ける。図示のカバーシート２６は、その中心に透光性基板２１のクランプ孔２５に対応して同じ径の孔２５’を有するが、カバーシート２６の外径は透光性基板２１の外形より小さい。従って、クランプ孔２５と孔２５’を合わせて、カバーシート２６が透光性基板２１の光入射面に貼り付けられると、カバーシート２６の外周縁は、透光性基板２１の外周縁より内側に位置することになる。
【００２２】
カバーシート２６の外周縁の１個所からリップ状のタブ２７が外側に一体の突出しており、このタブ２７の外周縁は透光性基板２１の外周縁と面一になっている。すなわち、カバーシート２６の外周縁の一部２８であるタブ２７の外周縁のみが透光性基板２１の外周縁と面一になっている。
図１（ａ）はカバーシート２６を透光性基板２１の光入射面に貼り付けた状態を示し、図（ｂ）はカバーシート２６を透光性基板２１の光入射面から剥がした状態を示す。図１（ｂ）において、二点鎖線はカバーシート２６が貼られていた位置を示す。
【００２３】
図２（ａ）と（ｂ）は、カバーシート２６の外周縁の一部２８であるタブ２７の外周縁と透光性基板２１の外周縁とが面一になった部分を示す。図２（ａ）に示すように、透光性基板２１の外周縁とカバーシート２６の外周縁の一部２８とが面一になった部分に指３０を当て、この指３０で透光性基板２１からカバーシート２６側へ擦る。これにより、図２（ｂ）に示すように、簡単にカバーシート２６の外周縁の一部２８を起こすことができ、ここからカバーシート２６を透光性基板２１の光入射面から容易に剥がすことができる。
【００２４】
他方、図２（ｃ）は、カバーシート２６の外周縁が透光性基板２１の外周縁より内側にある部分を示す。この部分では、透光性基板２１の外周縁に指３０を当てても、カバーシート２６の外周縁には指３０が当たらないので、カバーシート２６が起こされることはない。これによって、カバーシート２６が不意に剥がれてしまうことがない。透光性基板２１の外周縁に当たるのが指３０以外のものでも同様である。
【００２５】
例えば、前記のような寸法を有する光ディスクの場合、外周側から１．５ｍｍの部分は記録領域外である。そこで、カバーシート２６の外周縁は、最大でも前記の記録領域外である１．５ｍｍに満たない寸法だけ透光性基板２１の外周縁より内側に位置させる。これにより、カバーシート２６は、透光性基板２１の光入射面の全記録領域を覆うことになる。但し、或る程度の安全を見て、カバーシート２６の外周縁は、最大で透光性基板２１の外周縁より０．５ｍｍ程内側に位置させるのが好ましい。カバーシート２６の外周縁が透光性基板２１の外周縁より０．５ｍｍ程内側にあれば、図２（ｃ）に示すように、光ディスクの外周を指３０で触ったとき、カバーシート２６の外周縁に指３０が触れることはない。
【００２６】
図３は、本考案によるカバーシート２６を貼った光ディスクの他の実施形態を示している。
図３（ａ）は、カバーシート２６の１８０゜離れて対向した２個所からタブ２７、２７を突出し、カバーシート２６の外周縁の一部２８、２８であるタブ２７、２７の外周縁を透光性基板２１の外周縁と面一にしたものである。このタブ２７，２７の外周縁を除くカバーシート２６の外周縁の他の部分は、透光性基板２１の外周縁より内側にある。
【００２７】
図３（ｂ）は、透光性基板２１の外径より小さい外径を有し、且つ透光性基板２１のクランプ孔２５と同じ径の孔２５’を有し、この孔２５’と外周縁とが偏心しているカバーシート２６を使用している。カバーシート２６の孔２５’と透光性基板２１のクランプ孔２５とが一致するように位置合わせした状態で、カバーシート２６を透光性基板２１の光入射面に貼り付けている。この光ディスクでは、カバーシート２６の外周縁が透光性基板２１の外周縁に対して偏心している。これにより、カバーシート２６の外周縁の一部２８が透光性基板２１の外周縁と面一になっており、カバーシート２６の外周縁のその他の部分は、透光性基板２１の外周縁より内側にある。
【００２８】
この光ディスクにおいても、透光性基板２１の外周縁とカバーシート２６の外周縁の一部２８とが面一になった部分に指を当て、簡単にカバーシート２６の外周縁を起こすことができる。これによって、カバーシート２６を透光性基板２１の光入射面から容易に剥がすことができる。
【００２９】
他方、カバーシート２６の外周縁の他の部分は、透光性基板２１の外周縁に指等を当てても、カバーシート２６の外周縁には指等が当たらないので、カバーシート２６が起こされることはない。これによって、カバーシート２６が不意に剥がれてしまうことがない。
なお、前述の例は、記録光の照射により信号が記録可能な光ディスクについて説明したが、本発明は、予め信号が記録された、例えばＣＤやＣＤ−ＲＯＭ等の光ディスクについても同様に適用できることは言うまでもない。
【００３０】
【発明の効果】
以上説明した通り、光ディスクの外周縁からカバーシート２６の一部が突出することなく、カバーシート２６が光ディスクから不意に剥がれてしまわず、しかも意図的にカバーシート２６を光ディスクから剥がすときは、カバーシートの外周縁の一部を簡単に起こして、容易にカバーシート２６を光ディスクから剥がすことができる。また、カバーシートを貼った光ディスクであっても、市販のケースに収納することができ、またインクジェットプリンタを使用して保護コートの表面に印刷する際に搬送トレイに装着することもできる。
【図面の簡単な説明】
【図１】本発明による光ディスクの一実施形態を示す光ディスクにカバーシートを貼った状態と剥がした状態を示す斜視図である。
【図２】同光ディスクのカバーシートと光ディスクの外周縁の部分に指を当てた状態を示す要部側面図である。
【図３】本発明による光ディスクの他の実施形態を示す光ディスクにカバーシートを貼った状態の平面図である。
【図４】光ディスクの従来例を示す光ディスクからカバーシートを剥離する時の状態の斜視図である。
【図５】光ディスクの従来例を示す光ディスクにカバーシートを貼った状態の斜視図である。
【図６】カバーシートを貼った光ディスクと光ディスクのケースを示す分解斜視図である。
【符号の説明】
２１  透光性基板
２５  クランプ孔
２６  カバーシート
２７  タブ
２８  カバーシートの外周縁の一部
【図１】
0004039752.tif 000002
【図２】
0004039752.tif 000003
【図３】
0004039752.tif 000004
【図４】
0004039752.tif 000005
【図５】
0004039752.tif 000006
【図６】
0004039752.tif 000007